(57)【要約】【課題】薄型表示装置において、同一タイプのキャビネットにおいて複数種類の異なる形態を呈している通信モジュールを実装する技術を提供する。【解決手段】表示パネルモジュール１２（表示パネルシャーシ１３）の下側領域のキャビネット裏面２２には、通信ユニット固定部４０が設けられている。図２（ａ）に示すように、ＩＲ通信ユニット９２は、キャビネット裏面２２の通信ユニット固定部４０に直接的に面配置で取り付けられている。一方、図２（ｂ）に示すように、ＢＴ通信ユニット９４は、着脱可能なアタッチメント５０を用いて間接的にキャビネット裏面２２に取り付けられている。【選択図】図２
2014182326.tif 000002
【特許請求の範囲】
【請求項１】
基板の一方の面に通信モジュールを実装した通信ユニットを有し、
前記基板は、キャビネットの裏面に所定角度以上で立てた状態に取り付けられ、
前記通信モジュールは、金属構造に対して反対外向きの基板面に配置されている
ことを特徴とする薄型表示装置。
【請求項２】
前記キャビネットと着脱可能に固定され、前記通信ユニットを保持するアタッチメントを備えることを特徴とする請求項１に記載の薄型表示装置。
【請求項３】
前記キャビネットは、前記アタッチメントを着脱可能に固定する固定部を備え、
前記固定部は、前記通信ユニットとは異なる通信ユニットを前記キャビネットの裏面に対向させて配置可能であることを特徴とする請求項２に記載の薄型表示装置。
【請求項４】
前記金属構造は、表示モジュールの金属であることを特徴とする請求項１から３のいずれかに記載の薄型表示装置。
【発明の詳細な説明】
【技術分野】
【０００１】
本発明は、薄型表示装置に係り、特に通信ユニットを備えた薄型表示装置に関する。
【背景技術】
【０００２】
液晶テレビに代表される薄型表示装置にあっては、リモコン装置のＩＲ通信ユニットや３Ｄ映像視聴のための専用メガネとの通信用のＲＦ通信ユニット、無線ＬＡＮ通信ユニットなど各種の通信ユニットが搭載される傾向にある。
【０００３】
これらの通信ユニットについては、仕向地や市場投入タイミングなどによって適宜選択され所望のものが搭載される。
【０００４】
通信ユニット等の回路基板の取り付け構造については各種の技術が提案されている。例えば、配線基板ホルダーを、配線基板を横置き姿勢で設置するときと縦置き姿勢で設置するときの両方に共用することができるようにする技術がある（例えば、特許文献１参照）。
【先行技術文献】
【特許文献】
【０００５】
【特許文献１】特開２００６−１９６１９号公報
【発明の概要】
【発明が解決しようとする課題】
【０００６】
ところで、液晶テレビの仕様が変更される場合に、キャビネット等の外観に変更はなく、搭載される通信ユニットが変更される場合がある。この場合、通信ユニットの形状が大きく変更されると、モデルチェンジ前の通信ユニット取り付け構造では、新たな通信ユニットが取り付けできない場合があり、対策の技術が求められていた。特に、キャビネットに所定の固定部を設けて通信ユニットを固定する構造の場合、外観に変更は無いのにもかかわらず、キャビネット成形用の金型を変更しなければならない状況も起こりえる。また、同じタイミングに市場投入されるモデル同士にあっても、キャビネットが共通であって搭載される通信ユニットが異なる場合には、取り付け構造を柔軟に共通化できる技術が求められていた。
【０００７】
また、特許文献１に開示の技術では、基板を装置筐体（キャビネット）に取り付けるために、基板形状に合わせたホルダーを使用し、複数の取り付け方法を実現している。しかし、特にスイッチ構造を対象とした技術であり、信号等の干渉を考慮する必要がある通信ユニットの取り付け構造に対してはそのまま適用できず別の技術が求められていた。また、狭枠化の進む近年の薄型表示装置においても同様の課題があった。
【０００８】
本発明はこのような状況に鑑みなされたものであって、上記課題を解決する技術を提供することを目的とする。
【課題を解決するための手段】
【０００９】
本発明の薄型表示装置は、基板の一方の面に通信モジュールを実装した通信ユニットを有し、前記基板は、キャビネットの裏面に所定角度以上で立てた状態に取り付けられ、前記通信モジュールは、金属構造に対して反対外向きの基板面に配置されている。
前記キャビネットと着脱可能に固定され、前記通信ユニットを保持するアタッチメントを備えてもよい。
また、前記キャビネットは、前記アタッチメントを着脱可能に固定する固定部を備え、前記固定部は、前記通信ユニットとは異なる通信ユニットを前記キャビネットの裏面に対向させて配置可能であってもよい。
また、前記金属構造は、表示モジュールの金属であってもよい。
【発明の効果】
【００１０】
本発明によると、薄型表示装置において、同一タイプのキャビネットにおいて複数種類の異なる形態を呈している通信モジュールを実装する技術を提供することができる。
【図面の簡単な説明】
【００１１】
【図１】実施形態に係る、液晶テレビを示す図である。
【図２】実施形態に係る、図１のＡ−Ａ断面図である。
【図３】実施形態に係る、キャビネット裏面の通信ユニット固定部を示す図である。
【図４】実施形態に係る、ユニット取り付けアタッチメントを示す図である。
【図５】実施形態に係る、通信ユニット固定部にユニット取り付けアタッチメントを介してＢＴ通信ユニットが取り付けられた状態を示す斜視図である。
【図６】実施形態に係る、通信ユニット固定部にユニット取り付けアタッチメントが取り付けられた状態を示す斜視図である。
【発明を実施するための形態】
【００１２】
次に、本発明を実施するための形態（以下、単に「実施形態」という）を、図面を参照して具体的に説明する。
【００１３】
図１は本実施形態に係る液晶テレビ１０の正面図である。図示のように、液晶テレビ１０は、表示パネルモジュール１２の前面に、枠状の樹脂製のフロントキャビネット２０を備えている。フロントキャビネット２０の下側部分の前面には飾りパネル３０が取り付けられている。
【００１４】
図２は、図１のＡ−Ａ断面図であり、特に、通信ユニット（通信モジュールを実装した基板回路）の取り付け部分に着目して示している。図２（ａ）はＩＲ通信ユニット９２を取り付けた状態を示している。また、図２（ｂ）はＢＴ通信ユニット９４を取り付けた状態を示している。
【００１５】
金属製の表示パネルシャーシ１３の下側領域のキャビネット裏面２２には、通信ユニット固定部４０が設けられている。ちょうど、飾りパネル３０が取り付けられた領域のキャビネット裏面２２側に通信ユニット固定部４０が設けられている。また、表示パネルモジュール１２の背面側はリアキャビネット１６に覆われている。また、表示パネルシャーシ１３として例えばバックライトシャーシがある。
【００１６】
図２（ａ）に示すように、赤外線（ＩＲ）通信を行うためのＩＲ通信ユニット９２は、キャビネット裏面２２の通信ユニット固定部４０に直接的に取り付けられている。ＩＲ通信ユニット９２の取り付け態様は、その基板面をキャビネット裏面２２に対向させた面配置となっている。つまり、基板面が垂直に前（または後ろ）を向いている。
【００１７】
一方、図２（ｂ）に示すように、ブルートゥース（登録商標）通信を行うためのＢＴ通信ユニット９４は、着脱可能なユニット取り付け用のアタッチメント５０を用いて間接的にキャビネット裏面２２に取り付けられている。ＢＴ通信ユニット９４の取り付け態様は、アタッチメント５０を用いることで、キャビネット裏面２２に対して垂直に立てた状態の配置となっている。つまり、基板面（図４（ａ）のＢＴ用基板９５）が水平になっている。
【００１８】
図３はキャビネット裏面２２に形成されている通信ユニット固定部４０を示す斜視図である。図示のように、二つ一組の通信ユニット固定部４０がキャビネット裏面２２から後方向に延出して形成されている。この二つの通信ユニット固定部４０の間に、上述したＩＲ通信ユニット９２またはアタッチメント５０が取り付けられる。
【００１９】
したがって、ＩＲ通信ユニット９２の形状は、長手方向の長さが二つの通信ユニット固定部４０の距離と略一致している。より具体的には、通信ユニット固定部４０は、ＩＲ通信ユニット９２の基板面が置かれる基板支持部４１と基板面を上から押さえるカギ状の係止片４２とからなり、ＩＲ通信ユニット９２の左右の端部を挟み込む。また、図４で後述するアタッチメント５０が取り付けられるときには、略長方形のアタッチメントベース部５１の左右の端部が挟み込まれる。
【００２０】
図４はアタッチメント５０を示す斜視図であって、図４（ａ）はＢＴ通信ユニット９４が取り付けられた状態を示し、図４（ｂ）はＢＴ通信ユニット９４が取り付けられていない状態を示している。また、図５は、図４（ａ）のアタッチメント５０が通信ユニット固定部４０に取り付けられた状態を示す斜視図である。さらに、図６は、図４（ｂ）のアタッチメント５０が通信ユニット固定部４０に取り付けられた状態を示す斜視図である。
【００２１】
アタッチメント５０は、樹脂成形品であって、アタッチメントベース部５１と、固定部５２ａ、５２ｂと、ユニット保持部５３と、基板端部挿入部５６と、基板支持部５８とを備える。
【００２２】
アタッチメントベース部５１は、上述のＩＲ通信ユニット９２の基板と略同一の形状の長方形を有しおり、ＩＲ通信ユニット９２と同様に通信ユニット固定部４０に着脱可能になっている。ここではアタッチメントベース部５１の左右対称の位置になるように、固定部５２ａ、５２ｂと、ユニット保持部５３と、基板端部挿入部５６と、基板支持部５８とが形成されている。
【００２３】
より具体的には、アタッチメントベース部５１の端部近傍に基板端部挿入部５６が形成されている。基板端部挿入部５６には内側及び上側を開放した所定深さの溝が形成されている。この溝の入口はアタッチメントベース部５１の端部を挿入しやすいように斜面となっている。また、左右の中心付近には、ＢＴ通信ユニット９４のＢＴ用基板９５の一方の側面に当接する二つの基板支持部５８が断面凸状に形成されている。
【００２４】
アタッチメントベース部５１において、それぞれの基板端部挿入部５６の内側部分には、開口が形成されている。一方の開口では、その開口に延出する板状の固定部５２ａが形成され、他方の開口ではアタッチメントベース部５１の表面が一段下がった形状の固定部５２ｂが形成されている。図５や図６に示すように、この固定部５２ａ、５２ｂに通信ユニット固定部４０（係止片４２）が係止することで、アタッチメント５０が通信ユニット固定部４０に、つまり、キャビネット裏面２２に着脱可能に固定される。
【００２５】
固定部５２ａ、５２ｂより中心側には、つまり、基板支持部５８と固定部５２ａ、５２ｂの間にはユニット保持部５３が形成されている。
【００２６】
ユニット保持部５３は、アタッチメントベース部５１から垂直に延出する柱部５４と、柱部５４の先端に形成されたカギ状の係止部５５とを備える。柱部５４は二つの基板端部挿入部５６を結ぶラインより若干上側にオフセットした位置からアタッチメントベース部５１から垂直につまり後方に延出している。そして、係止部５５は、二つの基板端部挿入部５６を結ぶライン側に向かって柱部５４の先端からカギ状に突出してる。
【００２７】
このユニット保持部５３（係止部５５）は、ＢＴ通信ユニット９４がアタッチメント５０に装着されたときに、ＢＴ用基板９５の長手方向の側面（基板支持部５８に当接する側面と反対側の側面）を押さえる。
【００２８】
ここで、ＢＴ通信ユニット９４がアタッチメント５０に装着される場合、図４（ａ）や図５に示すように、ＢＴ通信モジュール９６はＢＴ用基板９５の下側の面に配置される。つまり、ＢＴ通信モジュール９６は、ＢＴ用基板９５を挟んで表示パネルシャーシ１３と反対側に配置される。このような構成を採用することで、ＢＴ通信モジュール９６から出力される電波が金属製の表示パネルシャーシ１３と干渉することを抑制することができる。
【００２９】
また、ＢＴ通信ユニット９４の取り付け向きはアタッチメントベース部５１に形成されるユニット保持部５３や基板端部挿入部５６の形状・向き等を適宜設定することで調整可能である。つまり、上述の構成では、ユニット保持部５３はアタッチメントベース部５１に対して垂直に、言い換えると、ＢＴ用基板９５が水平面に平行になるようにアタッチメント５０が形成されていた。しかし、例えば、ＢＴ用基板９５を水平面に対して傾けてＢＴ通信モジュール９６を前側に向けるようにユニット保持部５３や基板端部挿入部５６を形成することもできる。つまり、ＢＴ用基板９５は、キャビネット裏面２２に対して所定角度以上で立てた状態に取り付けられ、ＢＴ通信ユニット９４の出力特性が所望に調整することが容易になる。
【００３０】
ＢＴ通信モジュール９６と表示パネルモジュール１２等との間の干渉が、液晶テレビ１０の最終仕様が固まった段階で発生することもある。また、液晶テレビ１０から所定距離離れた位置の信号強度が設計値にならないこともある。そのような場合でも、大きな構造物であるフロントキャビネット２０の設計変更が必要なく、小さな構造物であるアタッチメント５０の変更（ＢＴ通信モジュール９６の設置向きの変更等）で対応することができる。また、ＢＴ通信モジュール９６等を外部調達して製造する場合、ＢＴ用基板９５の形状変更を余儀なくされる場合もあるが、この場合も、アタッチメント５０の変更のみで対応可能であって、柔軟な仕様変更に対応できる。さらに、ＢＴ通信ユニット９４以外のＷｉＦｉ等の通信ユニットに変更する際も同様である。
【００３１】
このように、本実施形態の液晶テレビ１０によると、通信ユニットがＩＲ通信ユニット９２やＢＴ通信ユニット９４などのように異なる形態を呈している場合であっても、大型構成部品であるフロントキャビネット２０の設計変更無しで、小型構成部品であるアタッチメント５０によって対応することができる。
【００３２】
なお、上述の各実施形態は例示であり、それらの各構成要素の組み合わせ等にいろいろな変形例が可能なこと、またそうした変形例も本発明の範囲にあることは当業者に理解されるところである。例えば、通信ユニット取付部４０はフロントキャビネット２０のキャビネット裏面２２に設けられたが、他のキャビネットに設けられる構成であってもよい。
【符号の説明】
【００３３】
１０  液晶テレビ
１２  表示パネルモジュール（表示モジュール）
１３  表示パネルシャーシ
１６  リアキャビネット
２０  フロントキャビネット
２２  キャビネット裏面
３０  飾りパネル
４０  通信ユニット固定部
４１  基板支持部
４２  係止片
５０  アタッチメント
５１  アタッチメントベース部
５２ａ、５２ｂ  固定部
５３  ユニット保持部
５４  柱部
５５  係止部
５６  基板端部挿入部
５８  基板支持部
９２  ＩＲ通信ユニット
９４  ＢＴ通信ユニット
９５  ＢＴ用基板
９６  ＢＴ通信モジュール
【図１】
2014182326.tif 000003
【図２】
2014182326.tif 000004
【図３】
2014182326.tif 000005
【図４】
2014182326.tif 000006
【図５】
2014182326.tif 000007
【図６】
2014182326.tif 000008